(57)【要約】【課題】フィルター交換の煩雑化を解消するとともに消耗経費のない水の濾過機を提供する。【解決手段】ポンプ吐出し能力を流出口で抑制することで濾材内乱流と流速変化を起こさせ耐錆性の積層された線条ワイヤーネット開口部である大、中、小、極小の穴に汚濁物粒子を付着、集積、沈殿させる濾過機。【選択図】　　図１
2004130291.tif 000002
【特許請求の範囲】
【請求項１】
垂直な濾過筒下部に送水用ポンプを設置し、被浄化水が上昇通過する筒内には耐錆性金属からなる微細線条ワイヤを縒り合せた平面的な金網状のものを幾重にも積層し被浄化水を浄化する濾材とした。
本発明による筒内での被浄化水を浄化するにあたる流速変化をもたらすために水の流出口に出水を強制的に抑制するコックを設けることを特徴としている。
【請求項２】
被浄化水を浄化する濾材は耐錆性の微細線条ワイヤを縒り合せ金網状のものを積層していることから水が通過する濾材開口部が大、中、小、極小と不規則的に無数に点在している。したがって濾材通水を抑制することでさらに水の流速が変化し濾材開口部を通過する時に直線的に早く通過する水やゆっくり流れる部分ができ濾材縒り線部で汚濁物粒子が衝突し付着、集積、沈殿を起こす濾過を特徴としている。
【発明の詳細な説明】
【０００１】
【発明が属する技術分野】
本発明は、生産効率の安定を計るために循環する温調水の温度調整機水槽に設置し、上記水槽内や配管機器内で必然的に発生する赤錆スラッヂ、ヌルヌルする有機性浮遊物や混入油等を捕捉し、循環水経路内の水を浄化する濾過機である。
上記した浄化水を長期的に使用できることと、排水等が環境を害さないとして循環水系の濾過に汎用できる。
【０００２】
【従来の技術】
従来のこの種の濾過技術はフィルター全体の目詰り効果で汚濁物を捕捉しながら浄化作用するものであり、例えば、水容量２０００リットルの赤水（錆）を濾すのに５〜１５ミクロンのフィルターを使用した場合、数十本の消耗が必要となりこの種のフィルターは速効性は有るが能力低下までの時間が早いのと交換の煩雑さが生産ラインに支障をきたすことになっていた。
【０００３】
したがって精密フィルターで赤錆スラッヂやスライム対策をとっている企業は少なく汚濁水のまま一定期間循環使用した上で放流しながら水を交換しているのが現状である。
かかる汚濁水が循環することで生産機内の通水経路に貰い錆を発生させ管内を詰まらせたり温調不良の障害を起こす恐れがある。
【０００４】
【発明が解決しようとする課題】
本発明は、前述の従来フィルターの速やかな目詰りによる交換の煩雑さとそれに伴った消耗経費の連続性を鑑みて提供する濾過機である。
【０００５】
【課題を解決するための手段】
請求項１の濾材と称した微細線条ワイヤ金網状のものは空気清浄で使用されているワイヤネットデミスターの１２本縒り金網を積層ブロック型にすることで濾材開口部に大、中、小、極小の開口部が不規則的に得られた。それらの開口部、大は浄化されない水がそのまま流出されるが中から極小に至って通水時に汚濁物粒子が衝突し付着、集積、沈殿することが分った。
【０００６】
濾材開口部の極小部分から汚濁物粒子の付着が始まり小、中の開口部へと付着が進行するが開口部大は汚濁物は付着しないので流量にほとんど変化がなかったので全体目詰りによる流出停止が無い。
【０００７】
濾過筒上部に設置した流出水をコックで強制的に流出量を抑制することで下部ポンプの吐出し量と流出量に差が生じ濾材内での流速変化による乱流が起るためさらに汚濁物捕捉の効果が促進された。
【０００８】
濾過筒に捕捉されている汚濁物粒子を洗浄して廃棄するにはバケツ容器等に清水を入れ濾過機を投入し流量調整コックを開放に合せ、ポンプを稼動させると汚濁物粒子が流出されたのでこれらを数回くり返すことで洗浄できた。
洗浄可能な濾材であるため消耗経費がなく使用できる。
【０００９】
【実施の形態例】
本発明の現場での実験の例をもって説明する。実施は都内精密プラスチック部品製造会社、大手印刷会社の冷却用循環水槽内で実験した。
実験前の循環水は赤水状態であり、３週間後に立合い目視検査として実施する。しかも３週間後は清水状態で循環されているにおよんで本発明が浄化効果が得られるものであり目詰りによる濾過機流量変化もないことが証明された。
【００１０】
本発明の実施形態例を図１から図３と表１をもって説明する。図１は濾過筒に収納する濾材（ワイヤネットデミスター）であり、（ａ）は１枚網であり（ｂ）は３枚重ねにした図である。（ｃ）は（ｂ）をさらに重ね合せてブロック型したものである。（ｄ）は（ｃ）のブロック型（ｃ）〜１、（ｃ）〜２、（ｃ）〜３を積層したのものでこれによって水の通過する開口部が大、中、小、極小と不規則で無数に点在することになり通過する被浄化水は流速の早い部分と遅い部分が出現することになった。
【００１１】
本発明の形態構成を
【図２】で説明する。（４）は水中ポンプであり被浄化水を毎分１３リットルの吐出し量をもっているものを選択した。ポンプから吐出された被浄化水は（６）の拡散盤で平均的に上昇され濾材である（ｃ）〜１、（ｃ）〜２、（ｃ）〜３を上昇通過するさい乱流が起る。
（７）は水の流れを表現したものであり、被浄化水が濾材を上昇通過後は（６）’の拡散盤を通り（５）の流出量調整コックを通過して出水される。
（５）の流出量調整コックによる実態例を
【表１】で説明すると、縦軸は出水口でコックによって強制抑制された時の管内を被浄化水が上昇する速度を表す。
横軸は抑制された流出量を表す。（イ）の点は流量調整コックを開放にした時で（Ｔ１）として濾材を通過する速度は１秒間に１．６ｃｍ．づつ上昇する。実施例では流出量を毎分７．５リットルの（ニ）の点で実験を試みた、その時の上昇速度は毎秒０．９ｃｍに抑制されているこの状態は筒内水圧が高まり濾材内部で不規則的に流速が変化するものと考えられ汚濁物粒子が上昇する際に極小開口部に容易に付着されやすい。
（ロ）点と（ハ）点の実験も実行した。それによると同様に濾過能力はあるものの（ハ）に流出抑制された場合は透明度は増すが大容量の循環水では濾過に時間がかかる為に（ロ）点か（ニ）点の出水量が望ましい。（Ｔ２）斜線部は理想的な出水抑制範囲を示したもの。この表は実験機で実施したときのタンク容積とポンプ吐出し量から算出した管内上昇速度である。
【００１２】
【図３】は循環水槽に本発明の濾過機が設置された形態図であり、（１）は水中ポンプが設置してある濾過機を水槽内に取り付けて作動している様子で（２）は冷却された循環水を保有する水槽、（３）は復路水を冷媒を使って冷却し（２）の水槽に戻す冷却装置。
【００１３】
【発明の効果】
前記したように、本発明によれば速やかなフィルターの目詰りによる機能の低下による交換の煩雑さを解消し、永続的消耗経費も無く洗浄して何回でも使える水を浄化する濾過機を提供することができた。
【図面の簡単な説明】
【図１】本発明に係る濾過筒内に収納される濾材とその集積を示す図である。
【図２】本発明に係る濾過機全体の構成を示す図である。
【図３】濾過機が設置された形態図である。
【表１】本発明の濾過機からの流出量と適正範囲を示す表である。
【符号の説明】
１・・・（ａ）、（ｂ）、（ｃ）、（ｄ）濾材
２・・・（４）ポンプ（５）流量調整コック（６）拡散型（７）水の流れ方向
（８）天蓋
３・・・（１）濾過機（２）循環水槽（３）冷却装置
【図１】
2004130291.tif 000003
【図２】
2004130291.tif 000004
【図３】
2004130291.tif 000005
【手続補正書】
【提出日】平成15年1月9日(2003.1.9)
【手続補正１】
【補正対象書類名】明細書
【補正対象項目名】発明の詳細な説明
【補正方法】変更
【補正の内容】
【発明の詳細な説明】
【０００１】
【発明が属する技術分野】
本発明は、生産効率の安定を計るために循環する温調水の温度調整機水槽に設置し、上記水槽内や配管機器内で必然的に発生する赤錆スラッヂ、ヌルヌルする有機性浮遊物や混入油等を捕捉し、循環水経路内の水を浄化する濾過機である。
上記した浄化水を長期的に使用できることと、排水等が環境を害さないとして循環水系の濾過に汎用できる。
【０００２】
【従来の技術】
従来のこの種の濾過技術はフィルター全体の目詰まり効果で汚濁物を捕捉しながら浄化作用するものであり、例えば、水容量２０００リットルの赤水（錆）を濾すのに５〜１５ミクロンのフィルターを使用した場合、数十本の消耗が必要となりこの種のフィルターは速効性は有るが能力低下までの時間が早いのと交換の煩雑さが生産ラインに支障をきたすことになっていた。
【０００３】
したがって精密フィルターで赤錆スラッヂやスライム対策をとっている企業は少なく汚濁水のまま一定期間循環使用した上で放流しながら水を交換しているのが現状である。
かかる汚濁水が循環することで生産機内の通水経路に貰い錆を発生させ管内を詰まらせたり温調不良の障害を起こす恐れがある。
【０００４】
【発明が解決しようとする課題】
本発明は、前述の従来フィルターの速やかな目詰まりによる交換の煩雑さとそれに伴った消耗経費の連続性を鑑みて提供する濾過機である。
【０００５】
【課題を解決するための手段】
請求項１の濾材と称した微細線条ワイヤ金網状のものは空気清浄で使用されているワイヤネットデミスターの１２本縒り金網を積層ブロック型にすることで濾材開口部に大、中、小、極小の開口部が不規則的に得られた。それらの開口部、大は浄化されない水がそのまま流出されるが中から極小に至って通水時に汚濁物粒子が衝突し付着、集積、沈殿することが分った。
【０００６】
濾材開口部の極小部分から汚濁物粒子の付着が始まり小、中の開口部へと付着が進行するが開口部大は汚濁物は付着しないので流量にほとんど変化がなかったので全体日詰りによる流出停止が無い。
【０００７】
濾過筒上部に設置した流出水をコックで強制的に流出量を抑制することで下部ポンプの吐出し量と流出量に差が生じ濾材内での流速変化による乱流が起るためさらに汚濁物捕捉の効果が促進された。　　　　　　・
【０００８】
濾過筒に捕捉されている汚濁物粒子を洗浄して廃棄するにはバケツ容器等に清水を入れ濾過機を投入し流量調整コックを開放に合せ、ポンプを稼動させると汚濁物粒子が流出されたのでこれらを数回くり返すことで洗浄できた。
洗浄可能な濾材であるため消耗経費がなく使用できる。
【０００９】
【実施の形態例】
本発明の現場での実験の例をもって説明する。実施は都内精密プラスチック部品製造会社、大手印刷会社の冷却用循環水槽内で実験した。
実験前の循環水は赤水状態であり、３週間後に立合い目視検査として実施する。しかも３週間後は清水状態で循環されているにおよんで本発明が浄化効果が得られるものであり目詰まりによる濾過機流量変化もないことが証明された。
【００１０】
本発明の実施形態例を図１から図３と図４をもって説明する。図１は濾過筒に収納する濾材（ワイヤネットデミスター）であり、（ａ）は１枚網であり（ｂ）は３枚重ねにした図である。（ｃ）は（ｂ）をさらに重ね合せてブロック型したものである。（ｄ）は（ｃ）のブロック型（ｃ）〜１、（ｃ）〜２、（ｃ）〜３を積層したのものでこれによって水の通過する開口部が大、中、小、極小と不規則で無数に点在することになり通過する被浄化水は流速の早い部分と遅い部分が出現することになった。
【００１１】
本発明の形態構成を
【図２】で説明する。（４）は水中ポンプであり被浄化水を毎分１３リットルの吐出し量をもっているものを選択した。ポンプから吐出された被浄化水は（６）の拡散盤で平均的に上昇され濾材である（ｃ）〜１、（ｃ）〜２、（ｃ）〜３を上昇通過するさい乱流が起る。
（７）は水の流れを表現したものであり、被浄化水が濾材を上昇通過後は（６）’の拡散盤を通り（５）の流出量調整コックを通過して出水される。
（５）の流出量調整コックによる実態例を図４で説明すると、縦軸は出水口でコックによって強制抑制された時の管内を被浄化水が上昇する速度を表す。
横軸は抑制された流出量を表す。（イ）の点は流量調整コックを開放にした時で（Ｔ１）として濾材を通過する速度は１秒間に１．６ｃｍ．づつ上昇する。実施例では流出量を毎分７．５リットルの（ニ）の点で実験を試みた、その時の上昇速度は毎秒０．９ｃｍに抑制されているこの状態は筒内水圧が高まり濾材内部で不規則的に流速が変化するものと考えられ汚濁物粒子が上昇する際に極小開口部に容易に付着されやすい。
（ロ）点と（ハ）点の実験も実行した。それによると同様に濾過能力はあるものの（ハ）に流出抑制された場合は透明度は増すが大容量の循環水では濾過に時間がかかる為に（ロ）点か（ニ）点の出水量が望ましい。（Ｔ２）斜線部は理想的な出水抑制範囲を示したもの。この表は実験機で実施したときのタンク容積とポンプ吐出し量から算出した管内上昇速度である。
【００１２】
【図３】は循環水槽に本発明の濾過機が設置された形態図であり、（１）は水中ポンプが設置してある濾過機を水槽内に取り付けて作動している様子で（２）は冷却された循環水を保有する水槽、（３）は復路水を冷媒を使って冷却し（２）の水槽に戻す冷却装置。
【００１３】
【発明の効果】
前記したように、本発明によれば速やかなフィルターの日詰りによる機能の低下による交換の煩雑さを解消し、永続的消耗経費も無く洗浄して何回でも使える水を浄化する濾過機を提供することができた。


【手続補正２】
【補正対象書類名】明細書
【補正対象項目名】図面の簡単な説明
【補正方法】変更
【補正の内容】
【図面の簡単な説明】
【図１】本発明に係る濾過筒内に収納される濾材とその集積を示す図である。
【図２】本発明に係る濾過機全体の構成を示す図である。
【図３】濾過機が設置された形態図である。
【図４】本発明の濾過機からの流出量と適正範囲を示す図である。
【符号の説明】
１・・・（ａ）、（ｂ）、（ｄ）濾材
２・・・（４）ポンプ（５）流量調整コック（６）拡散型（７）水の流れ方向（８）天蓋
３・・・（１）濾過機（２）循環水槽（３）冷却装置


【手続補正３】
【補正対象書類名】図面
【補正対象項目名】全図
【補正方法】変更
【補正の内容】
【図１】
2004130291.tif 000006
【図２】
2004130291.tif 000007
【図３】
2004130291.tif 000008
【図４】
2004130291.tif 000009